(57)【要約】【課題】フィルタシートの目詰まりを効率的に解消して飛散トナーを捕捉する機能の低下を抑制でき、メンテナンスの回数を低減させることができる画像形成装置を提供する。【解決手段】飛散トナーを吸い込む吸引ダクトの下流側に、吸引ファン１１５を備えた集塵装置１１０が配置され、吸引ファン１１５の上流側に蛇腹状に折り曲げられて複数の折り目を有するフィルタシート２０２が配置され、このフィルタシート２０２の折り目同士の間の溝部内に清掃板４０４に形成された複数の突出片４０４ａが挿入され、この清掃板４０４を備えるフィルタ清掃枠体４００を上下方向に往復駆動させるようにした。【選択図】図６
2010066653.tif 000002
【特許請求の範囲】
【請求項１】
感光体上の潜像をトナーで現像する現像部と、
少なくとも前記現像部の近傍に発生した飛散トナーを吸引する吸引ダクトと、
前記吸引ダクトの下流側に配置されて前記吸引ダクト内の空気を吸引する吸引ファンと、
前記吸引ファンの上流側に配置され、前記吸引ダクト内を搬送される飛散トナーを捕捉する、蛇腹状に折り曲げられて複数の折り目を有するフィルタシートと、
前記フィルタシートの上流側に配置され、前記フィルタシートの前記折り目に沿って配置され、且つ前記折り目同士の間の溝部内に挿入される複数の突出片が互いに隙間を隔てて一体的に形成された清掃板を、複数枚備えたフィルタ清掃枠体と、
前記フィルタ清掃枠体又は前記フィルタシートを、前記折り目と直交する方向に往復駆動させる往復駆動機構と、
を備えることを特徴とする画像形成装置。
【請求項２】
前記フィルタシートは、ネット層と繊維層とが積層されてなり、前記ネット層が上流側を向くように配置され、
前記突出片は前記ネット層側の前記溝部内に挿入されていることを特徴とする請求項１に記載の画像形成装置。
【請求項３】
前記フィルタシートは、前記折り目が水平方向となるように配置され、
前記往復駆動機構は、前記フィルタ清掃枠体又は前記フィルタシートを上下方向に往復駆動させることを特徴とする請求項１又は請求項２に記載の画像形成装置。
【請求項４】
前記フィルタシートの下方に、落下するトナーを収納する回収容器が配置されていることを特徴とする請求項１乃至請求項３のいずれか一項に記載の画像形成装置。
【請求項５】
前記往復駆動機構は、前記吸引ファンを停止させた状態で駆動されることを特徴とする請求項１乃至請求項４のいずれか一項に記載の画像形成装置。
【請求項６】
前記吸引ダクトの下流側は集塵装置に接続され、
前記集塵装置は、前記吸引ダクトから空気が流れ込む吸入室と、前記フィルタ清掃枠体及び前記フィルタシートとで前記吸入室と空間が通気可能に隔てられた排気室と、前記排気室側に設けられた前記吸引ファンと、を備えることを特徴とする請求項１乃至請求項５のいずれか一項に記載の画像形成装置。
【請求項７】
前記フィルタシートは、取り付け、取り外しが可能であることを特徴とする請求項１乃至請求項６のいずれか一項に記載の画像形成装置。
【発明の詳細な説明】
【技術分野】
【０００１】
本発明は画像形成装置に関し、さらに詳しくは、飛散トナーを捕捉するフィルタを清掃する機構を有する画像形成装置に関する。
【背景技術】
【０００２】
電子写真方式を用いた画像形成装置では、感光体ドラムなどの像担持体表面を一様に帯電させ、この上にレーザ光などで原稿画像を結像させて静電潜像を形成し、これにトナーを付着させてトナー画像とし、これを記録媒体としての用紙に転写し、定着装置でトナーを加熱溶融させて定着させている。
【０００３】
トナーには、磁性トナーからなる１成分磁性現像剤と、磁性キャリアとトナーを混合してなる２成分磁性現像剤とがあるが、ここでは、トナーという場合、双方を含むものとする。
【０００４】
画像形成装置では、現像動作に伴って現像装置からトナーが飛散するが、この飛散したトナーは環境や画質に好ましくない影響を与えることは知られている。従来、飛散したトナーを捕捉する機能を備えた画像形成装置としては、感光体表面に現像装置が近接する位置に、吸引ダクトの吸引口を配置したものがある。この画像形成装置では、吸引ダクトに吸引されたトナーを吸引ファン側に設けられたフィルタに捕捉させるようにしている。このフィルタとしては、表面積を稼ぎトナーの捕捉量を大きくするために、１枚のシート状のものを蛇腹状に折り曲げた、所謂プリーツ型フィルタが用いられている。また、フィルタの目詰まりを防止する目的で、モータに偏心して取り付けられた円板状の錘を回転させてフィルタを振動させる機能を有する画像形成装置が知られている。
【０００５】
また、画像形成装置内の主にオゾン濃度の低減のために、装置筐体に排気ファンを備えたものが知られている（例えば、特許文献１参照）。この画像形成装置では、排気ファンに誤って指等が接触しないようにするため、排気ファンの金属製のメッシュが配置され、このメッシュの外側にオゾンフィルタが配置されている。そして、この画像形成装置では、メッシュが紙粉や埃等で目詰まりすることを防止するため、オゾンフィルタにブラシ状部材を設けて、オゾンフィルタの交換動作に伴ってブラシ状部材がメッシュを清掃するようになっている。
【特許文献１】特開平５−２６１２２９号公報
【発明の開示】
【発明が解決しようとする課題】
【０００６】
しかしながら、飛散するトナーを捕捉するフィルタを備える画像形成装置においては、フィルタを単に振動させるだけでは、蛇腹状のフィルタの折り目内側に捕捉されて凝集したトナーをフィルタから除去しにくいという問題がある。目詰まりを起こしたフィルタは、吸引ダクトの空気吸引性能を低下させて飛散トナーを吸引する機能を低下させるため、頻繁にメンテナンスが必要となる。このようなフィルタを備えた画像形成装置に対して、上記特許文献１に開示されたブラシ状部材を適用することは、構成、目的が大幅に異なるために困難である。
【０００７】
そこで、本発明の目的は、トナーを捕捉するフィルタの目詰まりを効率的に解消して、飛散トナーの捕捉機能の低下を抑制でき、メンテナンスの回数を低減させることができる画像形成装置を提供することにある。
【課題を解決するための手段】
【０００８】
本発明の特徴は、画像形成装置であって、感光体上の潜像をトナーで現像する現像部と、少なくとも現像部の近傍に発生した飛散トナーを吸引する吸引ダクトと、吸引ダクトの下流側に配置されて吸引ダクト内の空気を吸引する吸引ファンと、吸引ファンの上流側に配置され、吸引ダクト内を搬送される飛散トナーを捕捉する、蛇腹状に折り曲げられて複数の折り目を有するフィルタシートと、このフィルタシートの上流側に配置され、フィルタシートの折り目に沿って配置され、且つ折り目同士の間の溝部内に挿入される複数の突出片が互いに隙間を隔てて一体的に形成された清掃板を、複数枚備えたフィルタ清掃枠体と、フィルタ清掃枠体又はフィルタシートを、折り目と直交する方向に往復駆動させる往復駆動機構と、を備えることを要旨とする。
【０００９】
ここで、フィルタシートは、ネット層と繊維層とが積層されてなり、ネット層が空気の流れの上流側を向くように配置され、突出片がフィルタシートへの損傷の発生を抑制するためにネット層側の溝部内に挿入されている構成とすることが好ましい。
【００１０】
また、フィルタシートの下方には、フィルタシートから落下するトナーを収納する回収容器が配置されている構成とする。
【００１１】
さらに、往復駆動機構は、吸引ファンを停止させた状態で駆動されるように設定されていることが好ましい。
【００１２】
また、吸引ダクトの下流側は、集塵装置に接続される構成としてもよい。この集塵装置は、上記吸引ダクトから空気が流れ込む吸入室と、上記フィルタ清掃枠体及び上記フィルタシートで吸入室と空間が通気可能に隔てられた排気室と、この排気室側に設けられた上記吸引ファンと、を備える構成とすることができる。
【発明の効果】
【００１３】
本発明によれば、トナーを捕捉するフィルタシートの目詰まりを効率的に解消して、飛散トナーを捕捉する機能の低下を抑制でき、このフィルタシートのメンテナンスの回数を低減させることができる画像形成装置を実現できる。
【発明を実施するための最良の形態】
【００１４】
以下、本発明の実施の形態に係る画像形成装置の詳細を図面に基づいて説明する。
【００１５】
図１は、本発明の実施の形態に係るカラー画像形成装置Ｇを示す概念図である。
【００１６】
図１に示すように、カラー画像形成装置Ｇは、複数の感光体３１Ｙ、３１Ｍ、３１Ｃ、３１Ｋを一本の中間転写ベルト４１に対面させて縦列に配列したフルカラーの画像を形成するタンデム型カラー画像形成装置と称されるものである。
【００１７】
このカラー画像形成装置Ｇは、その上部に自動原稿送り装置ＡＤＦを備えている。
【００１８】
この自動原稿送り装置ＡＤＦの原稿載置台１０３に載置された原稿Ｄは、一枚ずつに分離され原稿搬送路に送り出され、搬送ドラム１０２により搬送される。
【００１９】
搬送中の原稿Ｄの画像は原稿画像読み取り位置ＲＰにて原稿読取部１により、読み取りがなされる。読み取りが終了した原稿Ｄは第１搬送ガイドＧ１、及び原稿排出ローラ１０５により原稿排紙トレイ１０７に排出される。
【００２０】
カラー画像形成装置Ｇは、上記した原稿読取部１、露光部２Ｙ、２Ｍ、２Ｃ、２Ｋ、画像形成部３Ｙ、３Ｍ、３Ｃ、３Ｋ、中間転写部４、定着部５、反転排紙部６、再給紙部７、給紙部８、制御部Ｃ等から構成され、それらが一つの筐体内に収められている。
【００２１】
原稿読取部１は、原稿読取り位置ＲＰにて原稿の画像をランプＬにて照射し、その反射光を第１ミラーユニット１１、第２ミラーユニット１２、レンズ１３によって導き、撮像素子ＣＣＤの受光面に結像させる。
【００２２】
撮像素子ＣＣＤにより光電変換された画像信号は、画像読取制御部１４にてＡ／Ｄ変換、シェーディング補正、圧縮等の処理がなされ、制御部Ｃのメモリに画像データとして格納される。
【００２３】
メモリに格納された前記画像データには、ユーザにより設定されている条件により適宜な画像処理が施されて、出力画像データが生成される。
【００２４】
露光部２Ｙ、２Ｍ、２Ｃ、２Ｋは、図示しないレーザ光源、ポリゴンミラー、複数のレンズ等から構成され、レーザビームを生成する。
【００２５】
前記露光部２Ｙ、２Ｍ、２Ｃ、２Ｋは、制御部Ｃから送られる前記出力画像データを基に出力される出力情報に対応して、画像形成部３Ｙ、３Ｍ、３Ｃ、３Ｋの構成要素である感光体３１Ｙ、３１Ｍ、３１Ｃ、３１Ｋの表面をレーザビームにより走査露光する。
【００２６】
前記レーザビームの走査露光により、感光体３１Ｙ、３１Ｍ、３１Ｃ、３１Ｋには潜像が形成される。
【００２７】
画像形成部３Ｙは、感光体３１Ｙと、その周辺に配置されている、主帯電部３２Ｙ、現像部３３Ｙ、第１転写ローラ３４Ｙ、クリーニング部３５Ｙからなる。他の画像形成部３Ｍ，３Ｃ，３Ｋにおいても、画像形成部３Ｙと同様な構成であり、それぞれの感光体３１Ｍ、３１Ｃ、３１Ｋの周辺に、それぞれに対応して主帯電部３２Ｍ，３２Ｃ，３２Ｋ、現像部３３Ｍ、３３Ｃ、３３Ｋ、第１転写ローラ３４Ｍ、３４Ｃ、３４Ｋ、クリーニング部３５Ｍ、３５Ｃ、３５Ｋが配置されている。
【００２８】
感光体３１Ｙ、３１Ｍ、３１Ｃ、３１Ｋ上の潜像は、対応する現像部３３Ｙ、３３Ｍ、３３Ｃ、３３Ｋによりトナーを現像することによって顕像化されて、各感光体上にはトナー像が形成される。
【００２９】
感光体３１Ｙ、３１Ｍ、３１Ｃ、３１Ｋ上に形成された前記トナー像は中間転写部４の第１転写ローラ３４Ｙ、３４Ｍ、３４Ｃ、３４Ｋにより、中間転写体である中間転写ベルト４１上の所定位置に逐次転写される。
【００３０】
トナー像の転写を終えた感光体３１Ｙ、３１Ｍ、３１Ｃ、３１Ｋの表面はクリーニング部３５Ｙ、３５Ｍ、３５Ｃ、３５Ｋによって残留トナーが除去される。
【００３１】
一方、中間転写ベルト４１上に転写されたトナー像は、第２転写ローラ４２によって、給紙部８のトレイＰＧ１、ＰＧ２、ＰＧ３から搬送され、給紙ローラ８１によってタイミングが取られて送り出された用紙Ｐに転写される。
【００３２】
トナー像の用紙Ｐへの転写を終えた中間転写ベルト４１はベルトクリーニング部４３により、表面が清掃され、次の画像転写に供される。
【００３３】
一方、トナー像を担持した用紙Ｐは、定着部５に送られ、加圧加熱されることによって、トナー像が用紙Ｐへ定着される。
【００３４】
定着部５による定着処理を終えた用紙Ｐは排紙反転部６により搬送され、排紙トレイ６１に排紙される。用紙Ｐを表裏反転して排紙する場合には、排紙ガイド６２にて、一旦、用紙Ｐを下方に導き、排紙反転ローラ６３に用紙Ｐの後端を挟持させた後に反転搬送し、排紙ガイド６２により排紙ローラ６４に導き排紙する。
【００３５】
なお、用紙Ｐの裏面にも画像形成を行う場合には、表面のトナー像の定着を終えた用紙Ｐを排紙ガイド６２により下方にある再給紙部７に搬送し、再給紙反転ローラ７１により後端を挟持させた後、逆送することによって用紙Ｐを反転させて、再給紙搬送路７２に送り出し、裏面への画像形成に供する。
【００３６】
以上、カラー画像形成装置Ｇの基本的な構成及び動作について説明したが、次に、本実施の形態のカラー画像形成装置Ｇに備えられた吸引ダクト９及び集塵装置１１００について、図２〜図７を用いて詳細に説明する。
【００３７】
図２及び図３に示すように、カラー画像形成装置Ｇは、感光体３１Ｙ、３１Ｍ、３１Ｃ、３１Ｋのそれぞれに対応する４つの吸引ダクト９を備えている。吸引ダクト９は、飛散するトナーを吸引する一方の開口部９１と、集塵装置１１０に連通するように接続される他方の開口部９２とを有する。なお、感光体３１Ｙ、３１Ｍ、３１Ｃ、３１Ｋの近傍に対応して配置されたそれぞれの吸引ダクト９の構成は同様であるため、感光体３１Ｙに対応して配置された吸引ダクト９のみについて説明する。
【００３８】
図２に示すように、吸引ダクト９は、一方の開口部９１が、クリーニング部３５Ｙと主帯電部３２Ｙとを内包するように配置され、感光体３１Ｙの近傍に飛散するトナーを吸引するようになっている。図３に示すように、吸引ダクト９の他方の開口部９２は、集塵装置１１０側に接続されている。吸引ダクト９の一方の開口部９１は、感光体３１Ｙの回転軸方向に沿って感光体３１Ｙの全幅と同等以上の長さを有するように細長く形成されている。図２に示すように、この一方の開口部９１は、感光体３１Ｙの回転軸方向の全幅に亘るように配置された主帯電部３２Ｙ、クリーニング部３５Ｙを取り囲んだ状態で感光体３１Ｙの周面に対向するように配置されている。吸引ダクト９の他方の開口部９２は、吸引ダクト９の長手方向の一端部側に設けられている。
【００３９】
次に、図３〜図７を用いて集塵装置１１０について説明する。図３に示すように、本実施の形態において、集塵装置１１０は、上下方向に細長い略直方体形状を有する筐体１１１を有している。図４に示すように、この筐体１１１の内部には、吸入室１１２と排気室１１３とが設けられている。吸入室１１２と排気室１１３との境界には、集塵フィルタ２００と、オゾンフィルタ３００と、集塵フィルタ２００の上流側に位置するフィルタ清掃枠体４００と、が吸入室１１２と排気室１１３を通気可能に区画するように互いに重なるように配置されている。集塵フィルタ２００はフィルタ清掃枠体４００より下流側に配置され、オゾンフィルタ３００は集塵フィルタ２００より下流側に配置されている。これら集塵フィルタ２００及びオゾンフィルタ３００は、メンテナンスの際に、筐体１１１に設けた図示しない取付口より、取り付け、取り外しが可能になっている。
【００４０】
集塵装置１１０の吸入室１１２側の筐体１１１には、吸引ダクト９の他方の開口部９２が接続される４つの導入ダクト１１４が突設されている。
【００４１】
集塵装置１１０の排気室１１３側の筐体１１１の上部には、吸引ファン１１５が設けられており、排気室１１３内の空気を集塵装置１１０の外へ排出するようになっている。
【００４２】
図５に示すように、集塵フィルタ２００は、吸入室１１２と排気室１１３との境界の空気流通空間を取り囲む壁部に沿って配置される細長い長方形状のフレーム部材２０１と、フレーム部材２０１内に蛇腹状に折り曲げて収められたフィルタシート２０２とを備えている。
【００４３】
図６に示すように、本実施の形態のフィルタシート２０２は、例えば合成樹脂でなる耐久性の高いネット層２０３と、織り布もしくは不織布でなる繊維層２０４とが積層された構成である。このフィルタシート２０２は、集塵フィルタ２００が集塵装置１１０内に配置されたときに、折り目が水平方向となるように設定されている。図６に示すように、ネット層２０３が外側に位置する折り目は符号２０２Ａ、繊維層２０４が外側に位置する折り目は符号２０２Ｂで示す。このような集塵フィルタ２００は、集塵装置１１０内に装着される場合において、折り目２０２Ａが空気の流れの上流側、即ち吸入室１１２側に位置するように配置されている。すなわち、ネット層２０３が吸入室１１２側に位置しており、このネット層２０３側の溝部２０２Ｃに清掃板４０４の突出片４０４ａが挿入されるようになっている。
【００４４】
図７に示すように、フィルタ清掃枠体４００は、所定間隔を隔てて互いに平行をなす一対の枠材４０１と、これら一対の枠材４０１の長手方向の一端部同士を連結する連結板４０２と、連結板４０２から枠材４０１と反対方向に突出して設けられたカムスライド部４０３と、一対の枠材４０１同士の間に配置され両端がそれぞれ枠材４０１に固定された複数の清掃板４０４とを備えて構成されている。また、それぞれの枠材４０１の外側には、集塵装置１１０側の壁部に固定されたガイドレール１１６に案内されるガイドシュー４０５が設けられている。
【００４５】
図７に示すように、清掃板４０４は、板面が枠材４０１の長手方向ａに対して直角をなすように配置されている。この清掃板４０４は、例えば合成樹脂板、ゴム板、合板、金属薄板などで形成され、可撓性及び反発性を有する。そして、清掃板４０４における枠材４０１の長手方向ａと直角をなす方向ｂの一方側の縁部には、複数の突出片４０４ａが互いに隙間を隔てて一体的に形成されている。これら突出片４０４ａは、枠材４０１よりも前記方向ｂの一方側へ突出するように配置されている。なお、本実施の形態では、突出片４０４ａを清掃板４０４の縁部に沿って等間隔で配置、形成している。
【００４６】
上述した構成を有するフィルタ清掃枠体４００は、図６に示すように、フィルタシート２０２におけるネット層２０３が外側に位置する折り目２０２Ａを有する側に配置されている。加えて、フィルタ清掃枠体４００における一方側へ突出する突出片４０４ａは、互いに隣接する折り目２０２Ａ同士の間の溝部２０２Ｃに挿入されるように配置されている。なお、本実施の形態では、図６に示すように、すべての溝部２０２Ｃに突出片４０４ａを配置した構成であるが、すべての溝部２０２Ｃに突出片４０４ａが挿入されていなくてもよい。
【００４７】
また、フィルタ清掃枠体４００は、図示しないコイルスプリング等の付勢手段により下方に向けて常時付勢されている。そして、図４に示すように、フィルタ清掃枠体４００の下端に設けられたカムスライド部４０３は、集塵装置１１０の筐体１１１の下部に設けられた往復駆動機構により往復駆動作用を受ける。
【００４８】
図４に示すように、本実施の形態の往復駆動機構は、偏心カム４１０と、モータ４１１、伝達ギア４０６、４０７、４０８等で構成されている。この偏心カム４１０は、その周面が、フィルタ清掃枠体４００側に設けられたカムスライド部４０３に摺接してフィルタ清掃枠体４００を上下往復駆動させる。この偏心カム４０４は、モータ４１１より伝達ギア４０６、４０７、４０８を介して回転力が伝達される。また、集塵装置１１０の筐体１１１の下部には、集塵フィルタ２００に捕捉されたトナーが落下して収容される回収容器４０９が設けられている。なお、本実施の形態では、偏心カム４０４を用いた往復駆動機構を用いたが、実質的にフィルタ清掃枠体４００を上下往復駆動できる機構であれば、これに限定されるものではない。
【００４９】
なお、本実施の形態で用いた往復駆動機構は、例えばカラー画像形成装置Ｇの所定の累積稼働時間の経過を検知した場合や、用紙の所定枚数の処理が行われたことを検知した場合や、吸引ダクト９内の吸引力の低下を検知した場合や、または任意の操作により、吸引ファン１１５を停止させた状態で稼働するように設定されている。
【００５０】
以下、上記した集塵装置１１０の動作、作用並びに効果について説明する。集塵装置１１０では、カラー画像形成装置Ｇの稼働に伴い、吸引ファン１１５が駆動される。感光体３１Ｙ、３１Ｍ、３１Ｃ、３１Ｋの近傍に配置されたそれぞれの吸引ダクト９の一方の開口部９１から吸入された飛散トナーやオゾンは、吸引ダクト９を介して、集塵装置１１０の筐体１１１に設けられた導入ダクト１１４に導入される。導入ダクト１１４に導入された飛散トナーやオゾンを含む空気は、吸入室１１２に導かれ、フィルタ清掃枠体４００を通過して、集塵フィルタ２００及びオゾンフィルタ３００でトナーとオゾンが捕捉される。これら集塵フィルタ２００及びオゾンフィルタ３００を通過した空気は、排気室１１３を通って吸引ファン１１５から排気される。
【００５１】
本実施の形態では、集塵フィルタ２００のフィルタシート２０２のネット層２０３側にトナーが蓄積される。上述したように、フィルタ清掃枠体４００は、例えばカラー画像形成装置Ｇの所定の累積稼働時間の経過を検知した場合や、用紙の所定枚数の処理が行われたことを検知した場合や、吸引ダクト９内の吸引力の低下を検知した場合や、または任意の操作により、吸引ファン１１５を停止させた状態で上下往復駆動される。この結果、図６に示すように、清掃板４０４の突出片４０４ａは、フィルタシート２０２の折り目２０２Ａ側の溝部２０２Ｃ内で上下往復駆動されて溝部２０２Ｃ内に蓄積されたトナーをフィルタシート２０２から脱離させる。フィルタシート２０２から脱離したトナーは、フィルタシート２０２の面に沿って落下したり、突出片４０４ａ同士の間隙を抜けて落下して回収容器４０９に回収される。なお、本実施の形態では、突出片４０４ａを折り目２０２Ａの溝部２０２Ｃ内で上下往復駆動させたが、突出片４０４ａが複数の折り目２０２Ａを乗り越えるように上下往復駆動させてもよい。
【００５２】
上記構成の本実施の形態のカラー画像形成装置Ｇにおいては、清掃板４０４が、複数の突出片４０４ａを有するため櫛状の形状あり、フィルタシート２０２の折り目内側の溝部２０２Ｃに捕捉されて凝集したトナーを掻き出す作用を有するため、集塵フィルタ２００からトナーを離脱させる効果が高い。
【００５３】
また、本実施の形態に係るカラー画像形成装置Ｇでは、集塵装置１１０内に配置される集塵フィルタ２００のフィルタシート２０２は、上下方向に長く水平方向に短いため、水平方向に沿った折り目２０２Ａ、２０２Ｂの長さも短くフィルタシート２０２の折り返し部分の剛性が高い。このため、突出片４０４ａの上下往復動作に対してフィルタシート２０２の折り目２０２Ａが逃げてしまうことを防止でき、突出片４０４ａによりフィルタシート２０２に付着したトナーを効率よく叩き出してフィルタシート２０２から離脱させることができる。
【００５４】
加えて、上下に長いフィルタシート２０２を水平方向の折り目２０２Ａ、２０２Ｂで折り曲げているため、折り返し数が多くなりフレーム部材２０１に収まるフィルタシート２０２の表面積を稼ぐことができ、トナーを蓄積する能力を高めることができる。
【００５５】
また、本実施の形態では、１枚の清掃板４０４に設けられた複数の突出片４０４ａ同士の間に隙間があるため、フィルタシート２０２から離脱したトナーを下方へ落下させ易いという効果がある。
【００５６】
上述のように、本実施の形態で用いた集塵装置１１０では、フィルタシート２０２のトナー蓄積能力が高く、しかも多数の突出片４０４ａを備えるフィルタ清掃枠体４００を用いることで清掃性能を高めることができる。本実施の形態のカラー画像形成装置Ｇでは、集塵装置１１０の清掃性能が大幅に向上するため、フィルタシート２０２の目詰まりを有効に防止することができる。また、フィルタシート２０２において、耐久性の高いネット層２０３が、清掃板４０４の突出片４０４ａに接触するようになっているため、突出片４０４ａが繊維層２０４に直接触れることがなく、突出片４０４ａで繊維層２０４を損傷することを防止できる。
（その他の実施の形態）
以上、本発明の実施の形態について説明したが、この開示の一部をなす論述及び図面はこの発明を限定するものであると理解すべきではない。この開示から当業者には様々な代替実施の形態、実施例及び運用技術が明らかとなろう。
【００５７】
例えば、上記実施の形態では、タンデム型カラー画像形成装置について説明したが、本発明は、多回転方式のカラー画像形成装置やその他トナーを用いる画像形成装置全般に適用することができる。
【００５８】
上記実施の形態では、フィルタシート２０２が、ネット層２０３と繊維層２０４が積層された構成であるが、フィルタシート２０２が単層構造であってももちろんよい。
【００５９】
上記実施の形態においては、図７に示すように、多数の清掃板４０４の形状が同じであり、互いに隣接する清掃板４０４の突出片４０４ａ同士が互いに対向するように配置したが、図８に示すように、互いに隣接する清掃板４０４の突出片４０４ａ同士が互い違いになるように配置してトナーがさらに落下し易い構成としてもよい。
【００６０】
また、図９（ａ）、（ｂ）に示すように、上記実施の形態の清掃板４０４に代えて、多数の孔を形成した清掃板４０４Ａや、メッシュ状の清掃板４０４Ｂを用いていてもよい。これら清掃板４０４Ａ、４０４Ｂを用いることにより、トナーを下方の回収容器４０９へ落下させ易くすることができる。
【００６１】
上記実施の形態では、フィルタシート２０２の折り目２０２Ａ、２０２Ｂが水平方向になるように配置したが、上下方向に沿った折り目を有する縦折り型のフィルタシートを配置して、この折り目方向に直交する方向に清掃板の突出片が往復動作するようにしてもよい。この場合、フィルタ清掃枠体４００を水平方向に往復駆動する構成となる。
【００６２】
上記実施の形態では、吸引ダクト９を、感光体３１Ｙ、３１Ｍ、３１Ｃ、３１Ｋの近傍に一方の開口部９１を配置したが、ベルトクリーニング部４３の近傍に他の吸引ダクトを追加する構成としてもよい。
【００６３】
上記実施の形態では、フィルタ清掃枠体４００を往復駆動させる構成としたが、フィルタ清掃枠体４００を固定して集塵フィルタ２００側を往復駆動させる構成としてもよい。
【図面の簡単な説明】
【００６４】
【図１】本発明の実施の形態に係るカラー画像形成装置を示す概念図である。
【図２】実施の形態に係るカラー画像形成装置における吸引ダクトの開口部の配置位置を示す説明図である。
【図３】実施の形態に係るカラー画像形成装置における吸引ダクト及び集塵装置を示す斜視図である。
【図４】実施の形態に係るカラー画像形成装置に用いられる集塵装置の断面図である。
【図５】実施の形態に係るカラー画像形成装置に用いられる集塵フィルタを示す斜視図である。
【図６】実施の形態に係るカラー画像形成装置におけるフィルタシートとフィルタ清掃枠体を示す断面図である。
【図７】実施の形態に係るカラー画像形成装置に用いられるフィルタ清掃枠体を示す斜視図である。
【図８】実施の形態に係るカラー画像形成装置に用いられる清掃板の変形例を示す平面説明図である。
【図９】（ａ）及び（ｂ）は、実施の形態に係るカラー画像形成装置に用いられる清掃板の変形例を示す平面図である。
【符号の説明】
【００６５】
Ｇ…カラー画像形成装置
９…吸引ダクト
３１Ｍ，３１Ｙ，３１Ｃ，３１Ｋ…感光体
３３Ｙ，３３Ｍ，３３Ｃ，３３Ｋ…現像部
４３…ベルトクリーニング部
９１，９２…開口部
１１０…集塵装置
１１１…筐体
１１２…吸入室
１１３…排気室
１１４…導入ダクト
１１５…吸引ファン
２００…集塵フィルタ
２０２…フィルタシート
２０２Ａ，２０２Ｂ…折り目
２０２Ｃ…溝部
２０３…ネット層
２０４…繊維層
４００…フィルタ清掃枠体
４０３…カムスライド部
４０４，４０４Ａ，４０４Ｂ…清掃板
４０４ａ…突出片
４０６，４０７，４０８…伝達ギア
４０９…回収容器
４１０…偏心カム
４１１…モータ
【図１】
2010066653.tif 000003
【図２】
2010066653.tif 000004
【図３】
2010066653.tif 000005
【図４】
2010066653.tif 000006
【図５】
2010066653.tif 000007
【図６】
2010066653.tif 000008
【図７】
2010066653.tif 000009
【図８】
2010066653.tif 000010
【図９】
2010066653.tif 000011